(57)【特許請求の範囲】
【請求項１】
縦部材が鋼管材で構成される鉄塔の支持装置であって、前記縦部材を広い幅で挟んで周面を保持する一対の把持部片よりなる把持部材と、この把持部材における一方の把持部片の背面に固着される取付部片とで構成される１組の取付ユニットを有し、かかる取付ユニットを少なくとも２組備え、前記取付部片が、支持体側に接続されるとともに前記縦部材と交差する方向に配される支持部材に取り付けられ、前記把持部材における他方の把持部片には締結用のボルト孔の外面側にボルト回り止め座が彫り込んで設けられていることを特徴とする揚降装置の鉄塔支持装置。
【請求項２】
前記一対の把持部片は、所要厚みで中心より一方に片寄せて一部を切欠かれた縦部材の保持部を備え、この保持部は保持する縦部材の直径にほぼ合致する内径を有し、かつその保持部中心を通る立面に沿い前後に二分割されており、この分割されている前後の把持部片が前記保持部から適宜離れた位置で前後方向に貫通するボルト孔を通じてボルト締結される構造である請求項１に記載の揚降装置の鉄塔支持装置。
【発明の詳細な説明】
【０００１】
【発明の属する技術分野】
本発明は、主として建設工事現場などで使用されるリフト，エレベータあるいはクレーンなどを設置する際に用いられる揚降装置の鉄塔支持装置に関するものである。
【０００２】
【従来の技術】
一般に建設工事現場などで使用されているリフト，エレベータなど揚降装置の鉄塔は、通常建設中の構築物骨組や枠組作業足場などに基端部を固着されたサポート金具で支持して立設されている。そのサポート金具としては、例えば実公昭５５−２２０６３号公報，あるいは特公昭４９−２３４１２号公報などによって設置される鉄塔の構築物側における縦部材もしくは横部材に接続されるようにして取付ける構造が開示されている。
【０００３】
前記サポート金具は、前者（実公昭５５−２２０６３号公報に開示）の場合は、型鋼材を枠組して構成される鉄塔の縦部材に支持金具を取付けて支持する構造のものであり、後者（特公昭４９−２３４１２号公報に開示）の場合は、型鋼材を枠組して構成される鉄塔の横部材に支持金具を取付けて支持する構造のものが記載されている。
【０００４】
そして鋼管材を使用して構成される鉄塔の場合は、前記先行技術における鉄塔の縦部材が鋼管材とされ、図６（ａ）（ｂ）に例示されるように、その鉄塔５０の縦部材（鋼管材）５１をＵ型ボルト５６と当て金５７との組合わせで締結する方式が多く採用されている。
【０００５】
【発明が解決しようとする課題】
しかしながら、鋼管材を縦部材５１にして構成される鉄塔５０のサポート金具５５として、従来のＵ型ボルト５６を用いるような方式では、その取付部においてサポート金具５５と鉄塔縦部材５１との取付け強度が弱く、しかも縦部材５１に対するサポート金具５５の取付緊結部でのＵ型ボルト５６による接触幅が非常に小さいので、その緊結部における鉄塔５０側の縦部材５１に対しての保持力が集中的に作用することになり、好ましくないという問題が生じる。
【０００６】
そのために、図６（ａ）（ｂ）にて示されるように、構築物Ｂ側に基端を支持させたサポートの支持部材５８に対して鉄塔５０側で上下に適当な間隔を置いて複数個所で前述のＵ型ボルト５６，５６による縦部材５１に対する緊結部を配置するように縦支持部材５９を介在させて付設し、集中的な負荷が作用するのを防止する方式が採用され、その結果、多くの部品を必要とする。特に、構築物Ｂ側でのサポート金具（支持部材５８）取付位置が、その構築物Ｂ側の都合で鉄塔５０側に対して常に同じ条件で接続支持できないので、構築物Ｂ側に取付支持されるサポート金具の支持部材５８に合わせて鉄塔側での緊結部を上下方向にアジャストする必要があり、複数の緊結部を一つの支持部材５８と接続配置させるには、そのアジャスト用の縦支持部材５９を必要とし、工費が嵩むという問題点がある。
【０００７】
また、鉄塔側で鋼管材を挟み付けてサポート金具を取付ける場合、その支持手段によっては大きな水平力が作用した場合、縦部材（鋼管材）を変形させることになり、強度的に緊結部においてその縦部材を弱めることになるという問題が生じる。
【０００８】
本発明は、前述のような問題点を解決するためになされたもので、構造的に複雑化することなく、任意の位置で鉄塔縦部材に装着できて、鉄塔を支持することができる揚降装置の鉄塔支持装置を提供することを目的とするものである。
【０００９】
【課題を解決するための手段および作用・効果】
このような目的を達成するために、本発明による揚降装置の鉄塔支持装置は、
縦部材が鋼管材で構成される鉄塔の支持装置であって、前記縦部材を広い幅で挟んで周面を保持する一対の把持部片よりなる把持部材と、この把持部材における一方の把持部片の背面に固着される取付部片とで構成される１組の取付ユニットを有し、かかる取付ユニットを少なくとも２組備え、前記取付部片が、支持体側に接続されるとともに前記縦部材と交差する方向に配される支持部材に取り付けられ、前記把持部材における他方の把持部片には締結用のボルト孔の外面側にボルト回り止め座が彫り込んで設けられていることを特徴とするものである。
【００１０】
このように構成される本発明の揚降装置の鉄塔支持装置は、支持する鉄塔の縦部材に対して、その支持部において幅広い一対の把持部片よりなる把持部材により抱え込むように挟んで周面を保持し、この把持部材における一方の把持部片の背面に取付けられる取付部片を所要寸法の支持部材で支持体側に連結して支持できる。したがって、本発明によれば、予め把持部材とそれに付設される取付部片をセットにして用意し、構築物などの支持体側の条件に対応した支持部材の端部を前記取付部片に接続するようにすれば、支持条件に対応した支持装置が得られる。しかも、把持部材は、比較的広い幅で鉄塔の縦部材を抱えるようにして保持する構成にされるので、縦部材を把持できる位置では任意の位置にて保持できて局部的に集中力が作用することなく鉄塔を支持できるという効果を奏するのである。
【００１１】
また、前記把持部材における他方の把持部片には、締結用のボルト孔の外面側にボルト回り止め座が彫り込んで設けられているので、鉄塔縦部材を把持部材によって保持させる取付作業に際し、二分割された把持部材をボルト締結するときナット側だけで工具を用いて締付ければよいので、片手で操作でき、安全に作業できるという利点がある。また、そのボルト回り止め座を彫り込んで設けておけば、ボルト孔に対する締結ボルトの嵌め込み操作なども簡単にかつ確実に行えて、より効果的である。
【００１２】
本発明において、前記一対の把持部片は、所要厚みで中心より一方に片寄せて一部を切欠かれた縦部材の保持部を備え、この保持部は保持する縦部材の直径にほぼ合致する内径を有し、かつその保持部中心を通る立面に沿い前後に二分割されており、この分割されている前後の把持部片が前記保持部から適宜離れた位置で前後方向に貫通するボルト孔を通じてボルト締結される構造であるのがよい。こうすることにより、二分割された把持部材で鉄塔の縦部材である鋼管材を挟み付けることなく保持部によって保持して、支持体側に基端部を取付けられる支持部材と繋いで鉄塔を支持することができる。したがって、鉄塔の縦部材を支持する個所において、縦部材と把持部材との保持部では嵌め合い状態で保持しているので、その縦部材を挟圧することなく保持されて、鉄塔に水平力が作用しても変形するようなことがない。また、従来のＵボルトによる緊結によるよりも広い長さで縦部材が保持されて、その縦部材には局部的に集中して外力が作用しないから、障害を与えることがない、という効果を奏するのである。
【００１３】
【発明の実施の形態】
以下、本発明の揚降装置の鉄塔支持装置について、その実施の形態について図面を参照しつつ説明する。
【００１４】
図１に示されるのは本発明の一実施例に係る鉄塔支持装置の平面図であり、図２は図１の側面図、図３は要部の拡大平面図、図４は図３の一部を断面にして表す側面図、図５は図３のＸ−Ｘ視図である。
【００１５】
本実施例の鉄塔支持装置１０は、工事用エレベータにおける搬器のガイドレールを備えた鉄塔を支持するものであり、それら図によって示されるように、鉄塔１の縦部材２として用いられている鋼管材を保持する把持部材１１と、この把持部材１１を構築物側に取付けるための取付部片１５とで取付ユニットＡが構成され、この取付ユニットＡを、鉄塔１を構成する4本の縦部材のうち支持側の二本の縦部材２，２に対してそれぞれ取付けられるように２組を左右対称に配され、これら取付ユニットＡを構築物Ｂに接続する支持部材１７とで構成されている。
【００１６】
前記取付ユニットＡは左右対称であるから、以下その一方について詳細に説明する。
【００１７】
前記把持部材１１は、外形を適宜高さで長角形の立方体に形成され、その平面視長方形の中心から一方に片寄せて縦部材（鋼管材）２を把持する保持部１２が端部で一部を切欠かれた円柱状に高さ方向に切抜かれて形成され、かつ前記保持部１２の中心を通る長手方向の立面で前後方向に二分割されている。そして、分割された両把持部片１１ａ，１１ｂは、前記保持部１２から適宜寸法離れた位置でボルト締結して保持部にて縦部材２を保持できるようにされている。
【００１８】
前記保持部１２は、その内径Ｄをちょうど保持する縦部材（鋼管材）２の外径とほぼ合致する寸法にされ、その縦部材２を保持したときに強く挟み付ける力が作用しないようにされる。また、一方の把持部片１１ａはその背面で取付部片１５の前面に溶接されて一体に形成されており、他方の把持部片１１ｂは前記取付部片１５と一体の把持部片１１ａとともに貫通するボルト孔１４に挿通される締結ボルト２０にて締結固定できるようにされている。
【００１９】
また、前記ボルト孔１４が設けられた部分において、他方の把持部片１１ｂの外面部には、図５で示されるように、締結ボルト２０の頭部２０ａ二辺間の寸法よりやや広い寸法で彫り込まれたボルト回り止め座１４ａが形成され、ボルト締結時における締付け操作が容易に行えるようにされている。
【００２０】
取付部片１５はアングル形の部材にてなり、前面に前述のように一方の把持部片１１ａを一体に取付けられ、下向きになる（使用の状況では上向きにもなる）接続面１５ａに構築物Ｂと接続する支持部材１７の端部が取付けられるように、複数のボルト孔１６が設けられている。なお、図中符号１５’は補強リブである。
【００２１】
このようにされた鉄塔支持装置１０は、目的とする揚降装置の鉄塔１が立設される場所において、鉄塔１と構築物Ｂのサポート取付部との間隔に応じた所要長さの支持部材１７（この例では平板）を用意し、その支持部材１７の先端部を取付ユニットＡの取付部片１５の接続面１５ａにボルトにて接続し、取付ユニットＡの把持部材１１は締結ボルト２０を取除いて二分する。取付部片１５に取付く側の把持部片１１ａの保持部１２を鉄塔１の縦部材２の所要位置にあてがい、取外された他方の把持部片１１ｂの保持部１２を、前記把持部片１１ａに対向させてあてがって組合わせ、締結ボルト２０の頭部２０ａをボルト回り止め座１４ａに受入れさせ、ボルト孔１４に挿入した締結ボルト２０を取付部片１５の外側で座金を介してナット２１により締付ける。
【００２２】
このようにすると、両把持部片１１ａ，１１ｂが締結ボルト２０によって組合わされ、両把持部片１１ａ，１１ｂの対向面が接触するまで締結ボルト２０で締付けることにより、保持部１２が閉じてその保持部１２により鉄塔の縦部材２が保持される。この状態では、把持部材１１の保持部１２内径Ｄが縦部材２（鋼管材）の外径にほぼ合致しているので、締結ボルト２０による締付力が過度に作用することはなく、位置ずれを起こさない状態で保持される。したがって、支持部材１７の後端部を構築物Ｂの予定している取付位置に予め設けられた取付ボルト孔に合わせてボルト２３締着する。このようにして鉄塔支持装置１０を用い、鉄塔１の設置高さに応じて所要の間隔で複数箇所にて構築物Ｂに繋ぐようにすれば、安定状態に支持させることができる。
【００２３】
このようにして鉄塔支持装置１０により鉄塔１を支持すれば、鉄塔１の縦部材２は比較的広い範囲で把持部材１１の保持部１２によって保持され、かつその保持部１２における縦部材２の周面部を全周においてほぼ等しく保持されることになるので、支持部において水平力が作用しても鋼管材(縦部材２）を局部的に変形させることはなく、安全に保持できるのである。また、把持部材１１による縦部材２の保持操作時には、二分割されている把持部片１１ａ，１１ｂを組合わせて締結ボルト２０による締結操作の際、その締結ボルト２０は頭部２０ａが彫り込まれているボルト回り止め座１４ａに嵌まって固定保持されるので、まず締結ボルト２０の挿入状態が維持され、しかもナット２１側でのみ工具によって回動させて締付けるとよいので、片手作業ができて高所作業に際して安全性を高めることができる。
【００２４】
以上は工事用エレベータの搬器昇降用ガイドレールを備えた鉄塔の支持装置について説明したが、クレーンの鉄塔においても採用できる。また、取付ユニットと構築物（支持体）を繋ぐ部材については、鉄塔設置現場の状況に応じて任意形状のものを用いることができる。
【００２５】
本実施例における構築物Ｂは、本発明における支持体に対応する。
【図面の簡単な説明】
【図１】図1は、本発明の一実施例に係る鉄塔支持装置の平面図である。
【図２】図2は、図１の側面図である。
【図３】図3は、要部の拡大平面図である。
【図４】図4は、図３の一部を断面にして表す側面図である。
【図５】図５は、図３のＸ−Ｘ視図である。
【図６】図６は、従来の鉄塔サポートの一例を示す図で、（ａ）は平面図を、（ｂ）は側面図をそれぞれ表わしている。
【符号の説明】
１                  揚降装置の鉄塔
２                  鉄塔の縦部材
１０                鉄塔支持装置
１１                把持部材
１１ａ              一方の把持部片
１１ｂ              他方の把持部片
１２                保持部
１４                ボルト孔
１４ａ              ボルト回り止め座
１５                取付部片
１７                支持部材
２０                締結ボルト
２０ａ              ボルト頭部
Ａ                  取付ユニット
Ｂ                  構築物（支持体）
【図１】
0004050424.tif 000002
【図２】
0004050424.tif 000003
【図３】
0004050424.tif 000004
【図４】
0004050424.tif 000005
【図５】
0004050424.tif 000006
【図６】
0004050424.tif 000007